(57)【特許請求の範囲】
【請求項１】
時間ベースによって駆動されるように構成しているカム（２）と、及びレバー軸（ＡＢ）のまわりを回転するレバー（３）とが、ブリッジ（１１）の上に配置された計時器用ディスプレー機構（１）であって、
前記レバー（３）は、一方では、弾性戻し手段の作用の下で前記カム（２）の輪郭に追従するフィーラメンバー（４）を有し、他方では、主軸（ＡＰ）のまわりに回転駆動する第１の方向決め車（６）と噛み合う第１のラック（５）を有し、
前記第１の方向決め車（６）は、同期して又は差動機構（３０）を介して、インジケータープレート（７）を駆動し、
前記インジケータープレート（７）は、前記主軸（ＡＰ）を中心とする半径方向に突き出ており、前記第１の方向決め車（６）と平行であるか又は同一平面上にあり、
前記ディスプレー機構（１）は、第１の端（８１）においてキャリッジ（９）に連接された連接棒（８）を有し、このキャリッジ（９）は、前記インジケータープレート（７）上で摺動するようにマウントされており、収縮可能な針（１０）を担持しており、
前記連接棒（８）の第２の端（８２）は、前記ブリッジ（１１）上の固定回転軸（１２）上で、又は前記レバー（３）によって直接又は間接的に駆動される伸長車セットが備える可動回転軸上で、回転される
ことを特徴とするディスプレー機構（１）。
【請求項２】
前記第１の方向決め車（６）は、直接又はギヤ列を介して、前記インジケータープレート（７）を同期駆動し、
前記連接棒（８）の前記第２の端は、前記ブリッジ（１１）上の前記固定回転軸（１２）上で回転させる
ことを特徴とする請求項１に記載のディスプレー機構（１）。
【請求項３】
前記第１の方向決め車（６）は、直接又はギヤ列を介して、前記インジケータープレート（７）を同期駆動し、
前記レバー（３）は、前記第１のラック（５）と平行に第２のラック（１５）を担持しており、この第２のラック（１５）は、前記伸長車セットを形成しているレバー要素（１８）と同期している第２の伸長車（１６）と噛み合っており、
このレバー要素（１８）は、前記連接棒（８）に対する可動連接車セットを形成しているレバー回転軸（１３）を担持しており、
前記第２の伸長車（１６）は、前記レバー要素（１８）と平行であるか又は同一平面上にあり、
ことを特徴とする請求項１に記載のディスプレー機構（１）。
【請求項４】
前記第１の方向決め車（６）は、前記差動機構（３０）を介して前記インジケータープレート（７）を駆動し、
前記差動機構（３０）は、伸長のために第１のカムによって制御され、時計回りの回転のために第２のカムによって制御される
ことを特徴とする請求項１に記載のディスプレー機構（１）。
【請求項５】
前記第１の方向決め車（６）は、前記差動機構（３０）の第１の入力を形成し又は前記第１の車セット（３１）を形成する、第１の車セット（３１）と噛み合い、
前記ディスプレー機構（１）は、前記カム（２）と同期する第２の車セット（３２）を有し、この第２の車セット（３２）は、前記差動機構（３０）の第２の入力を形成する前記インジケータープレート（７）を駆動し、
前記差動機構（３０）は、前記伸長車セットを形成しておりケージ回転軸（３６）を担持している差動ケージ（３５）を有し、このケージ回転軸（３６）は、前記連接棒（８）に対する可動連接回転軸を形成している
ことを特徴とする請求項４に記載のディスプレー機構（１）。
【請求項６】
前記インジケータープレート（７）は、惑星車（３４）を担持している少なくとも１つの惑星回転軸（３３）を有し、
この惑星車（３４）は、前記差動ケージ（３５）と前記第１の車セット（３１）の両方と噛み合っている
ことを特徴とする請求項５に記載のディスプレー機構（１）。
【請求項７】
前記ディスプレー機構（１）は、レトログラードのディスプレー機構であり、
前記カム（２）は、その最大半径上にくちばし部（２１）を有する渦カムであり、
このくちばし部（２１）を通過することによって、前記フィーラメンバー（４）が飛んで前記カム（２）の最小半径上に戻り、
前記ディスプレー機構（１）は、前記ブリッジ（１１）上で回転する第３のラック（２５）を有し、
この第３のラック（２５）は、第１の弾性戻り手段（２６）によって戻り、前記第１の方向決め車（６）と噛み合って、前記フィーラメンバー（４）が飛んで前記カム（２）の前記最小半径上に戻る際のレトログラードの戻りの間の遊びを減少させる
ことを特徴とする請求項１に記載のディスプレー機構（１）。
【請求項８】
前記ディスプレー機構（１）は、レトログラードのディスプレー機構であり、
前記カム（２）は、その最大半径上にくちばし部（２１）を有する渦カムであり、
このくちばし部（２１）を通過することによって、前記フィーラメンバー（４）が飛んで前記カム（２）の最小半径上に戻り、
前記ディスプレー機構（１）は、前記ブリッジ（１１）上で回転する第３のラック（２５）を有し、
この第３のラック（２５）は、第１の弾性戻り手段（２６）によって戻り、前記第１の方向決め車（６）と噛み合って、前記フィーラメンバー（４）が飛んで前記カム（２）の前記最小半径上に戻る際の前記逆行性の戻りの間の遊びを減少させ、
前記ディスプレー機構（１）は、前記ブリッジ（１１）上で回転される第４のラック（２７）を有し、
この第４のラック（２７）は、第２の弾性戻り手段（２８）によって戻り前記第２の伸長車（１６）と噛み合って、前記フィーラメンバー（４）が飛んで前記カム（２）の前記最小半径上に戻る際のレトログラードの戻りの間の遊びを減少させる
ことを特徴とする請求項３に記載のディスプレー機構（１）。
【請求項９】
前記キャリッジ（９）は、前記主軸（ＡＰ）を中心とする半径方向（Ｒ）に動くことができる
ことを特徴とする請求項１に記載のディスプレー機構（１）。
【請求項１０】
前記インジケータープレート（７）は、少なくとも第１の釣り合いおもり（７１）を有し、
この第１の釣り合いおもり（７１）は、前記インジケータープレート（７）によって形成されるアセンブリーを、前記インジケータープレート（７）の移動軌跡の中間点における前記キャリッジ（９）と、及び前記収縮可能な針（１０）と、前記主軸（ＡＰ）に対してバランスさせるように構成している
ことを特徴とする請求項１に記載のディスプレー機構（１）。
【請求項１１】
前記第１のラック（５）は、前記レバー軸（ＡＢ）を中心とする前記フィーラメンバー（４）に対する角度を調整可能である
ことを特徴とする請求項１に記載のディスプレー機構（１）。
【請求項１２】
前記第２の伸長車（１６）は、前記主軸（ＡＰ）のまわりを回転する
ことを特徴とする請求項３又は８に記載のディスプレー機構（１）。
【請求項１３】
前記第１のラック（５）と及び前記第２のラック（１５）どうしは、前記レバー軸（ＡＢ）を中心とする半径が異なる
ことを特徴とする請求項３に記載のディスプレー機構（１）。
【請求項１４】
前記第２のラック（１５）は、前記第１のラック（５）よりも小さい半径を有する
ことを特徴とする請求項１３に記載のディスプレー機構（１）。
【請求項１５】
前記第２のラック（１５）は、前記レバー軸（ＡＢ）を中心とする前記第１のラック（５）に対する角度を調整可能である
ことを特徴とする請求項３に記載のディスプレー機構（１）。
【請求項１６】
前記伸長車セットは、少なくとも第２の釣り合いおもり（７２）を有し、
この第２の釣り合いおもり（７２）は、前記レバー要素（１８）によって形成されるアセンブリーを、前記可動回転軸（１３）と、及び前記連接棒（８）と、前記主軸（ＡＰ）に対してバランスさせるように構成している
ことを特徴とする請求項３に記載のディスプレー機構（１）。
【請求項１７】
請求項１に記載のディスプレー機構（１）を少なくとも１つを有する
ことを特徴とする計時器用ムーブメント（１００）。
【請求項１８】
請求項１７に記載の計時器用ムーブメント（１００）を有し、及び／又は請求項１に記載のディスプレー機構（１）を少なくとも１つ有する
ことを特徴とする計時器用ムーブメント（１００）。
【発明の詳細な説明】
【技術分野】
【０００１】
本発明は、時間ベースによって駆動されるカムと、及び回転レバーとを有する計時器用ディスプレー機構に関する。この回転レバーは、カムの輪郭に追従する弾性的に戻されるフィーラメンバーと、及び同期して又は差動機構を介して、インジケータープレートを駆動する第１の方向決め車と噛み合う第１のラックとを有する。このインジケータープレートは、主軸を中心とする半径方向に突き出ており第１の車と平行又は共面である。
【０００２】
本発明は、さらに、この種のディスプレー機構を少なくとも１つ有する計時器用ムーブメントに関する。
【０００３】
本発明は、このような計時器用ムーブメントを有し、及び／又はこのようなディスプレー機構を少なくとも１つ有する腕時計に関する。
【０００４】
本発明は、計時器用ディスプレー機構の分野に関する。
【背景技術】
【０００５】
腕時計の表盤上において利用可能な空間によって、特に、腕時計のケースが小さい場合及び／又は非円形の形状である場合、視認性が最良の状態で常にディスプレーを行うことができるとはかぎらない。この困難性は、ムーブメントに複数の複雑機構がありディスプレー領域どうしの間で対立が発生するような場合において大きくなる。
【０００６】
必要とされる軌道が円形ではないような場合、このような軌道にわたって、ディスプレーメンバー、特に、針、を制御することには、しばしば、相当な厚みを有するミル加工されたカムを利用することをもたらす。これは、多用途性に欠け、異なる軌道を有するディスプレーに機構を適応させることを困難にさせる。既知の連接針機構では、針の向き及び基準伸長の容易な調整ができない。また、このような複雑機構には、能力の高い操作者が必要である。
【発明の概要】
【発明が解決しようとする課題】
【０００７】
本発明は、収縮可能なディスプレーメンバー、特に、収縮可能な針、を用いるディスプレーを設けることを提案するものであり、特に、針の本体のようなディスプレーメンバーの支持体の角位置に応じて収縮可能なディスプレーメンバーを用いるディスプレーを設けることを提案するものである。
【課題を解決するための手段】
【０００８】
本発明は、請求項１に記載の計時器用ディスプレー機構に関する。
【０００９】
本発明は、さらに、この種のディスプレー機構を少なくとも１つ有する計時器用ムーブメントに関する。
【００１０】
本発明は、このような計時器用ムーブメントを有し、及び／又はこのようなディスプレー機構を少なくとも１つ有する腕時計に関する。
【００１１】
添付図面を参照しながら下記の詳細な説明を読むことで、本発明の他の特徴及び利点が明らかになるであろう。
【図面の簡単な説明】
【００１２】
【図１】図１〜５は、本発明の第１の実施形態に係る同じディスプレー機構についての針の伸長とその後の短縮を含む初期状態と最終状態の間の５つの順次的な時間のステップにおける概略平面図を示している。図１は、くちばし部２１からカム２の最小半径の表面上へのフィーラメンバー４の飛びの直後における、針アセンブリーの最大収縮の初期位置を示している。
【図２】インジケータープレート７の３０°回転の後の針アセンブリーの伸長を示している。
【図３】中間的な角度のトラベルにおける針アセンブリーの最大の伸長を示している。
【図４】インジケータープレート７の９０°回転の後の針アセンブリーの収縮を示している。
【図５】フィーラメンバー４の飛びの直前に、くちばし部２１において、フィーラメンバー４がカム２の最大半径の面上にあるときの針アセンブリーの最大収縮の最終的な位置を示している。
【図６】図３に示す線ＡＡに沿った図１〜５のディスプレー機構の概略断面図を示している。
【図７】図３に示す線ＢＢに沿った図１〜５のディスプレー機構の概略断面図を示している。
【図８】図８〜１２は、本発明の第２の実施形態に係る同じディスプレー機構についての針の伸長とその後の短縮を含む初期状態と最終状態の間の５つの順次的な時間のステップにおける概略的な平面図を示している。図８は、くちばし部２１からカム２の最小半径の面上へのフィーラメンバー４の飛びの直後における針アセンブリーの最大収縮の初期位置を示している。
【図９】インジケータープレート７の３０°回転の後の針アセンブリーの伸長を示している。
【図１０】中間的角度的なトラベルにおける針アセンブリーの最大の伸長を示している。
【図１１】インジケータープレート７の９０°回転の後に針アセンブリーの収縮を示している。
【図１２】フィーラメンバー４の飛びの直前に、フィーラメンバー４がくちばし部２１におけるカム２の最大半径の面上にあるときの針アセンブリーの最大収縮の最終的な位置を示している。
【図１３】図１０に示す線ＡＡに沿った図８〜１２のディスプレー機構の概略断面図を示している。
【図１４】図１０に示す線ＢＢに沿った図８〜１２のディスプレー機構の概略断面図を示している。
【図１５】本発明の第３の実施形態の概略断面図を示している。
【図１６】ムーブメントを有する腕時計を示しているブロック図である。このムーブメントは、本発明に係るディスプレー機構を有する。
【図１７】本発明の第３の実施形態において用いられる差動機構の概略図である。この差動機構の入力は、針の伸長のためカムと針の前進のためのカムである２つのカムによって制御される。
【図１８】正方形のディスプレーの場合における平面図である。
【図１９】正方形のディスプレーの場合における断面図である。
【図２０】正方形のディスプレーの場合における断面図である。
【図２１】連接アームを備えるディスプレーの場合における平面図である。
【図２２】連接アームを備えるディスプレーの場合における断面図である。
【図２３】連接アームを備えるディスプレーの場合における断面図である。
【図２４】極座標を用いる針の先端の制御を示している。
【発明を実施するための形態】
【００１３】
本発明は、収縮可能なディスプレーメンバー、特に、収縮可能な針、を用いるディスプレーを設けることを提案するものであり、特に、針の本体のようなディスプレーメンバーに対する支持体の角度位置に応じて収縮可能なディスプレーメンバーを用いるディスプレーを設けることを提案するものである。ここでは、針を用いる特定の場合に基づいて説明する。なお、これに制限されない。
【００１４】
このようなディスプレーは珍しい。実際に、この針は、そのトラベル時に伸長して収縮し、これによって、円弧を描くのではなく、曲線状の経路を有することが可能になる。特に、図面に示した実施形態においては、楕円状の経路を有する。この構成によって、針の軌道をケースの表盤の形に適応させることが可能になる。このことによって、視認性が向上し、また、革新的で示差性があるような外観上の効果を与える。これを達成するために、本発明は、連接棒／クランク機構を実装している。
これは、特定のアプリケーションにおいて、逆行性の系と組み合わさる。
【００１５】
本発明は、ブリッジ１１上に配置されたカム２及びレバー３を有する計時器用ディスプレー機構１に関し、このカム２は、出力１０１において計時器用ムーブメント１００が備える時間ベースによって駆動されるように構成している。
【００１６】
このレバー３は、レバー軸ＡＢのまわりを回転するようにマウントされており、一方では、弾性戻し手段の作用の下でカム２の輪郭に追従するフィーラメンバー４を有し、他方では、レバー軸ＡＢを中心とする円弧状部を有する第１のラック５を有する。
【００１７】
ディスプレー機構１は、さらに、第１の方向決め車６を有する。これは、インジケータープレート７を直接又は間接的に駆動する。第１のラック５は、この第１の方向決め車６と噛み合っており、これを第１の軸Ａ１のまわりに回転するように駆動させる。第１の方向決め車６は、図１〜７及び８〜１４にそれぞれ示した第１及び第２の実施形態に示すように、同期しながら、又は第３の実施形態における図１５に示すような差動機構３０を介して、インジケータープレート７を駆動する。
【００１８】
インジケータープレート７は、主軸ＡＰを中心とする半径方向に突き出ており、第１の車６と平行又は共面である。特に、第１の軸Ａ１と主軸ＡＰは、一致している。
【００１９】
本発明によると、ディスプレー機構１は、連接棒８を有し、これは、第１の端８１において、インジケータープレート７に摺動可能にマウントされているキャリッジ９に連接されており、前記キャリッジ９は、好ましくは、収縮可能な針１０を担持しており、あるいはこのような針又は別の形のディスプレーメンバーを構成している。連接棒８の第２の端８２は、第１の実施形態の場合においてブリッジ１１上の固定回転軸１２上で回転し、あるいは第２及び第３の実施形態においては、レバー３によって直接又は間接的に駆動される伸長車セットにおいて設けられる可動回転軸上で回転する。
【００２０】
図１〜７の第１の実施形態において、第１の方向決め車６は、直接又はギヤ列を介して、インジケータープレート７を同期駆動し、連接棒８の第２の端は、ブリッジ１１上の固定回転軸１２にて回転する。
【００２１】
特定の実施形態において、図１〜１４に示すように、ディスプレー機構１は、逆行性のディスプレー機構である。
【００２２】
特定の実施形態において、カム２は、渦カムであり、これは、その最大半径上にくちばし部２１を有する。このくちばし部２１を通過すると、フィーラメンバー４が飛んでカム２の最小半径上に戻ることになる。また、ディスプレー機構１は、ブリッジ１１上で回転する第３のラック２５を有し、これは、第１の弾性戻し手段２６によって戻され、第１の方向決め車６と噛み合い、フィーラメンバー４が飛んでカム２の最小半径上に戻るときの逆行性の戻りの際の遊びを減少させる。
【００２３】
達成されることが望まれる軌道にカムの輪郭を適応させることができることは明らかである。上記の例は、所定の角度的区画における逆行性のディスプレーのために意図されている。当然、他の軌道に対応する他の輪郭も達成することができる。例えば、同じ速さで楕円状の戻り軌道を形成するハート形の輪郭を達成することができる。
【００２４】
好ましくは、アンバランスを避けるために、インジケータープレート７は、少なくとも第１の釣り合いおもり７１を有する。これは、インジケータープレート７によって形成されたアセンブリーを、インジケータープレート７のトラベル（移動軌跡）の中点におけるキャリッジ９と、及び収縮可能な針１０と、主軸ＡＰに対してバランスさせるように構成している。
【００２５】
針１０の端の楕円状の軌道に関連する図面に示した実施形態（これに制限されない）において、カム２は時計回りに回転する。回転しているときに、カム２は第１のラック５を上げる。この第１のラック５は、戻しばね（図示せず）によってカム２に押しつけられる。ここで、インジケータープレート７は、第１の方向決め車６と一体化されており、したがって、第１のラック５によって駆動される。ただし、これに制限されない。インジケータープレート７は、主軸ＡＰのまわりを回転する際に、第１の端８１にて連接アーバーを介して連接棒８を押す。キャリッジ９は、インジケータープレート７上を摺動することができる２つのアーバーに接続されており、そのうちの１つアーバーは、連接棒８の連接アーバーである。第２の端８２における連接棒８の回転の中心は、固定回転軸１２に位置しており、したがって、インジケータープレート７の回転の中心とは異なる。したがって、連接棒８は、第１の端８１に位置する連接アーバーを押したり引いたりし、この連接アーバーは、針１０の伸長又は収縮のためにキャリッジ９を駆動する。したがって、針１０は、主軸ＡＰのまわりを回転している間に、伸長したり収縮したりするように摺動する。
【００２６】
図１〜５の運動系は、針１０の端が開口１１０の楕円状の縁を追跡するような逆行性の実施形態における一連の中間的位置を示している。
【００２７】
−  図１は、くちばし部２１からカム２の最小半径の表面上へのフィーラメンバー４の飛びの直後における、針アセンブリーの最大収縮の初期位置を示している。
【００２８】
−  図２は、インジケータープレート７の３０°回転の後の針アセンブリーの伸長を示している。
【００２９】
−  図３は、中間的な角度のトラベルにおける針アセンブリーの最大の伸長を示している。
【００３０】
−  図４は、インジケータープレート７の９０°回転の後の針アセンブリーの収縮を示している。
【００３１】
−  図５は、フィーラメンバー４の飛びの直前に、くちばし部２１において、フィーラメンバー４がカム２の最大半径の面上にあるときの針アセンブリーの最大収縮の最終的な位置を示している。
【００３２】
図８〜１４の第２の実施形態において、第１の方向決め車６は、直接又はギヤ列を介して、インジケータープレート７を同期駆動し、レバー３は第１のラック５と平行に第２のラック１５を担持している。これは、同様にディスプレー機構１が備える第２の伸長車１６と噛み合う。この第２の伸長車１６は、このような伸長車セットを形成しているレバー要素１８と同期しており、これは、連接棒８に対する動く連接回転軸を形成しているレバー回転軸１３を担持しており、第２の車１６は、レバー要素１８と平行又は共面である。特に、第２の車１６は、レバー要素１８と一体化されている。
【００３３】
この第２の実施形態において、ディスプレー機構１は、さらに、ブリッジ１１上で回転する第４のラック２７を有する。これは、第２の弾性戻し手段２８によって戻され、図８〜１４の場合のように、この第２の弾性戻し手段２８は、第１の弾性戻し手段２６と一致していてもよい。この第４のラック２７は、第２の伸長車１６と噛み合っており、これによって、フィーラメンバー４が飛んでカム２の最小半径上に戻るときの逆行性の戻りの際の遊びを減少させる。
【００３４】
好ましくは、第２の実施形態において、アンバランスを回避するために、伸長車セットは、好ましくは、少なくとも第２の釣り合いおもり７２を有する。これは、レバー１要素８によって形成されるアセンブリーを、主軸ＡＰに対して、動く回転軸１３と、及び連接棒８とをバランスさせるように構成している。
【００３５】
この運動系は、第１の実施形態の運動系と同様であるが、今回は、連接棒８の第２の端８２は、レバー要素１８によって担持される可動な点上で回転する。
【００３６】
カム２は、時計回りに回転する。回転する際、カム２は、第１のラック５を上げる。これは、戻しばね（図示せず）によってカム２に押し付けられる。インジケータープレート７は、第１の方向決め車６と一体化されており、したがって、第１のラック５によって駆動される。第２のラック１５は、第１のラック５と一体化されており、第２の伸長車１６を駆動し、これは、第２の伸長車１６と一体化されているレバー要素１８を介して連接棒８を駆動する。キャリッジ９は、インジケータープレート７上を摺動することができる２つのアーバーに接続されている。キャリッジ９とレバー要素１８は、ギヤ比が異なるために同じ速度で回転しない。したがって、インジケータープレート７は、その第１の端にてアーバーを介して連接棒８を押し、これによって、このアーバーが押されたり引かれたりし、したがって、キャリッジ９が押されたり引かれたりする。このようにして針１０は、主軸ＡＰのまわりを回転しながら、伸長したり収縮したりする。
【００３７】
図８〜１２の運動系は、針１０の端が開口１１０の楕円状の縁を追跡するような逆行性の実施形態における一連の中間的位置を示している。
【００３８】
−  図８は、くちばし部２１からカム２の最小半径の面上へのフィーラメンバー４の飛びの直後における針アセンブリーの最大収縮の初期位置を示している。
【００３９】
−  図９は、インジケータープレート７の３０°回転の後の針アセンブリーの伸長を示している。
【００４０】
−  図１０は、中間的角度的なトラベルにおける針アセンブリーの最大の伸長を示している。
【００４１】
−  図１１は、インジケータープレート７の９０°回転の後に針アセンブリーの収縮を示している。
【００４２】
−  図１２は、フィーラメンバー４の飛びの直前に、フィーラメンバー４がくちばし部２１におけるカム２の最大半径の面上にあるときの針アセンブリーの最大収縮の最終的な位置を示している。
【００４３】
同様に、ここで説明している実施形態のそれぞれにおいて、連接棒８は、好ましくは、第３のバランス用釣り合いおもり８３を有する。
【００４４】
第３の実施形態は、複数の速度を制御することができる差動機構を用いる。これは、差動ケージ上で連接される連接棒を有する差動機構であり、これにおいて、カムに追従するラック又はムーブメントによってそれぞれ供給されており、これらの２つの入力の組み合わせによって、針の先端が、輪郭及びカムの回転速度によって与えられるあらゆる幾何学的な軌道をも描くことが可能になる。実際に、例えば、カムは楕円形であり、針と同じ速度で回転する場合は、針は、楕円状の軌道を描く。カムが針の速度の整数倍で回転するとき、多裂状（マルチローブ状）の針の軌道が得られる。
【００４５】
この差動機構は、ダブルラック系に関連付けられており、種々様々な幾何学的構成の軌道をディスプレーすることができる。この差動機構の第１の入力は、ムーブメントに直接接続される（分ディスプレーに対しては１時間当たり１回転、時間ディスプレーに対しては１２時間当たり１回転等々）。第２の入力は、カムに追従するラックに接続されている。差動出力は、２つの入力からの速度を加え、連接棒を回転させる。最後に、針の伸長は、カムの形に直接依存する。例えば、ハート形のカムによって、針が楕円状の軌跡を描くことが可能になる。すなわち、カムが上がるにしたがって、連接棒は、１８０°にわたってプレートよりも速く動く。すなわち、１８０°にわたっての針の伸長と収縮においてである。そして、連接棒が１８０°にわたってプレートよりも遅く動いているときにカムが下がり、初期位置に戻る。すなわち、１８０°にわたっての針の伸長と収縮においてである。
【００４６】
このようにして、差動機構は、２つのカムによって制御される。この２つのカムの一方は伸長のため、他方は前進のためである。この機構は、大きな設計自由度で、連接アームを制御することができる。
【００４７】
適切なカムの輪郭を選択することによって、特定の幾何学的構成の経路を得ることができる。すなわち、楕円形、正方形、長方形等である。
【００４８】
特に、図１５に示すように、この第３の実施形態は、第１の方向決め車６が、第１の車セット３１と噛み合っており、この第１の車セット３１が、差動機構３０の第１の入力を形成していたり、この特定の場合におけるように第１の車セット３１を実際に形成していたりするような作動機構に関する。
【００４９】
ディスプレー機構１は、第２の車セット３２を有しており、これは、ムーブメント１００の出力１０１によって直接又は間接的に駆動されており、又はこのような出力１０１によって形成されており、カム２と同期しており、これは、インジケータープレート７を駆動する。
【００５０】
インジケータープレート７は、差動機構３０の第２の入力を形成している。
【００５１】
差動機構３０は、伝統的な形態で、差動ケージ３５を有しており、これは、ケージ回転軸３６を担持しており、連接棒８に対する可動な連接回転軸を形成しているような伸長車セットを形成している。
【００５２】
インジケータープレート７は、少なくとも１つの惑星回転軸３３を有し、これは、差動ケージ３５と第１の車セット３１の両方と噛み合っている惑星車３４を担持しており、ここにおいて、ブリッジ１１のガイド３１０内に、又はムーブメント１００の構造の別の部品のガイド３１０内に、ガイドされる。
【００５３】
例えば、下から片持ちされている、特定のガイド３１０によって差動ケージ３５の上面を解放することができる場合に、連接棒８の自由回転を防ぐものは何もない。この連接棒８は、この場合、いずれのアーバーとも干渉せず、３６０°にわたってのディスプレーが可能になる。図１５の実施形態においては、第１の車セット３１のアーバーの一部が連接棒８と衝突することができる。これには、上において第１及び第２の実施形態に対して詳細に説明したような逆行性の機構の選択が必要になる。
【００５４】
この差動機構は、多くの実施形態を有することができる。具体的には、差動ケージ３５をブロックして、当然逆行性のディスプレーを必要とする第１の実施形態と同様な位置に戻ることができる。別の実施形態においては、第２の車セット３２の代わりに、インジケータープレート７と一体化されたプレート車７０上で噛み合っているラックを用いることを伴う。このラックは、ムーブメントによって駆動されるカムに追従する。
【００５５】
部品の通過の条件によっては、差動機構を用いる第３の実施形態によって、３６０°にわたっての針の回転を達成することができ、この場合、第１及び第２の実施形態の第１の逆行性のラック５は必要なくなり、第２の実施形態の第２の伸長ラック１５のみが保持される。
【００５６】
図示された様々な実施形態において、特定の形態（これに制限されない）で、キャリッジ９は、図面に示すように、主軸ＡＰを中心とする半径方向Ｒに動くことができる。
【００５７】
図１〜１４に示す特定の実施形態においては、第１のラック５は、レバー軸ＡＢを中心とするフィーラメンバー４に対する角度を調整可能である。第１の調整デバイス４０は、特に、長穴４１と連係している偏心ねじ４２を有する。
【００５８】
図８〜１４に示す特定の実施形態において、第２の伸長車１６は、主軸ＡＰのまわりを回転する。
【００５９】
図８〜１４に示す第２の実施形態の特定の実施形態において、第１のラック５及び第２のラック１５どうしは、レバー軸ＡＢを中心とする半径が異なる。特に、第２のラック１５は、第１のラック５の半径よりも小さな半径を有する。
【００６０】
図８〜１４に示す特定の実施形態において、第２のラック１５は、レバー軸ＡＢを中心とする第１のラック５に対する角度を調整可能である。第１の調整デバイス５０は、特に、長穴５１と連係している偏心ねじ５２を有する。
【００６１】
図１７〜２４は、本発明に係る他の特定の実施形態を示している。
【００６２】
図１７は、差動機構の概略図であり、この差動機構の出力は、連接棒／クランク系であり、３６０°にわたってアーム又は針の伸張を制御する。
【００６３】
歯数がＺ2である２つの惑星車２２は、歯数がＺ3であり角速度がＷ3であり外側に歯がある伝達車２３と、歯数がＺ1であり角速度がＷ1である内側の車２４との間で角速度Ｗcで運動可能である。この差動機構の速度Ｗ1、Ｗ2及びＷ3を連携させる式は、以下のとおりである。
Ｗ1・Ｚ1＋Ｗ3・Ｚ3＝Ｗc・（Ｚ1＋Ｚ3）
【００６４】
所定の時間ベースにおいて、この式は、以下と等価である。
θ1＝θc・（Ｚ1＋Ｚ3）／Ｚ1−θ3・Ｚ3／Ｚ1
ここで、
−  アームの前進の角度は、θc・（Ｚ1＋Ｚ3）／Ｚ1であり、
−  連接棒とアームの間の角度は、θ3・Ｚ3／Ｚ1である。
この場合において、θ1は、回転するアームに近づいたり遠ざかったりするように連接棒が移動しなければならない角度である。すなわち、θ1によって、速度Ｗc・（Ｚ1＋Ｚ3）／Ｚ1で回転している針の伸長を制御することができる。
【００６５】
図１８〜２０は、正方形のディスプレーを示している。図１〜１７の実施形態の部品と同様な部品には、図１〜１７の実施形態の部品の数字に値１００に加えた数字を割り当てている。
【００６６】
第１の差動入力１０３Ａは、筒かな１０１Ａに接続されている。この入力は、特定の例（これに制限されない）において連続的に回転し、１時間当たり１回転の速度となるようにムーブメントによってパワー供給されている。
【００６７】
第２の差動入力１１２Ａは、ラック１１０Ａに接続されている。このラック１１０Ａのローラー１１０Ｂは、筒かな１０１Ａによって回転するカム１０９Ｂの輪郭に追従する。
【００６８】
連接棒１０６Ａは、アーバー１０６Ｂにて回転し、このアーバー１０６Ｂは、レバー要素１０５Ｂ内に押し込まれる。
【００６９】
連接棒１０６Ａは、アーバー１０６Ｃを介して針１０７Ａに作用する。このアーバー１０６Ｃは、アーム１０１Ｂ上を摺動し、このアーム１０１Ｂは、筒かな１０１Ａ上にねじで固定される。
【００７０】
レバー要素１０５Ｂの出力の速度が筒かな１０１Ａの回転速度と、カム１０９Ｂから情報を取得するラック１１０Ａの回転速度との和であることを考えると、レバー要素１０５Ｂとアーム１０１Ｂの間の針の角度、したがって、針の伸長は、カム１０９Ｂの輪郭と直接関連している。
【００７１】
図示した例において、正方形のカムによって、針の先端が正方形のトラベルＰＣを描くことが可能になる。ハート形であることによって、ハート形のトラベルを得ることができ、したがって、任意のカムの形を再生することができる。
【００７２】
この機構は、分又は時間の特定のディスプレーに制限されない。実際に、例えば、時間を示すアームを有することができ、したがって、針の内側を摺動する小さなカーソルが、時間の針においてムーブメントのパワー貯蔵量をディスプレーすることができる。
【００７３】
図２１〜２３は、連接アームを備えるタイプのディスプレーを示している。図１〜１７の実施形態の部品と同様な部品には、図１〜１７の実施形態の部品の数字に値２００を加えた数字の符号を割り当てている。
【００７４】
カムによって２つの差動入力を制御することができ、これによって、入力１１０Ａを介して伸長を制御することができ、入力１０５Ａを介して針の前進又は後退の運動を制御することができる。図２１の例において、針の端は、時計回りの方向に針のトラベルＰＡを描く。
【００７５】
図２４に示すように、針の先端は、極座標ｒ，θの点Ｍによって記号によって表現することができる。ここで、ｒは、カム１０７Ｂによって制御され、角度θは、カム１０３Ｂによって制御される。
【００７６】
短く書くと、針は１つの平面内におけるいずれの経路をも追跡することができる。すなわち、８の字形、半円形、三日月形などの形の経路を描くことができ、これは、所望の経路に応じて構成する２つのカムによって制御される。
【００７７】
本機構が、伝統的な時間のディスプレーには制限されず、アニメーションも可能にするような連接の制御を行うことができることは明らかである。例えば、スタイラスによってブランド名を描いたり、表盤上にて記号を描いたりすることができる。
【００７８】
本発明は、さらに、このような出力１０１などによって駆動されるディスプレー機構を少なくとも１つ有する計時器用ムーブメント１００に関する。
【００７９】
本発明は、このような計時器用ムーブメント１００を有し、及び／又はこのようなディスプレー機構１を少なくとも１つ有する腕時計２００に関する。
【００８０】
本発明に係る収縮可能なディスプレーメンバーの利点は、腕時計の表盤の特定の領域において、特定の軌道を有する種々様々なディスプレーを可能にするということである。
【００８１】
好ましい逆行性のタイプのディスプレーにおいて、逆行性の機構のラックは、針の角度的な向きと半径方向の伸長の両方を制御するために用いられる。このラックは、往復運動をするように動く。渦カムの駆動のみが連続的な駆動であり、したがって、中央の車による連続的な駆動が必要なくなる。このことによって、腕時計ケース内のサイトトポロジーが促進される。本発明によって、あらゆる形や寸法のケースに適応させることができる。特に、楕円形のケースにも適応させることができる。これは、婦人用腕時計向けに評価されている。
【００８２】
連接棒の駆動機構と逆行性の針の駆動機構どうしは同軸であり、これによって、部品どうしの完全な位置合わせが確実になる。
【００８３】
第１の実施形態において、連接棒は、ブリッジ上で直接、又はボールベアリング又はジュエル等を介して、回転し、寸法は自由であり、動く部品の大きさによって制限されない。第１のラックをカムフィーラメンバーから取り外して、初期の逆行位置を調整することができる。可動ブリッジ（図示せず）上に連接棒の回転軸が設けられる場合、針の初期の伸長を調整することもできる。回転する部品の数が少ないことによって、残余の遊びを最小限にすることができる。単一の遊び排除ラックの存在によって、全体の機構を従わせ、衝撃に対する針の影響を抑えることができ、特に、針の振動を抑えることができる。重なり合う部品の数が抑えられていることによって、ディスプレー機構の全体の厚みを小さくすることができる。
【００８４】
第２の実施形態において、連接棒のための駆動機構と逆行性の針のための駆動機構どうしは同軸であり、このことによって、部品の完全な位置合わせを確実にすることもできる。２つのラックのそれぞれは、針の特定の運動を制御する。すなわち、第１のラックは、回転を制御し、第２のラックは、並進運動を制御する。このようにして、従来技術の逆行性のディスプレーとは対照的に、カムのおかげで、針の初期位置及び伸長を容易に調整することができる。この従来技術においては、１回行われる難しい操作による針のセッティング操作時に、ディスプレーの指標付けが行われる。連接棒の回転駆動によって、針の伸長寸法に対応する付加的なパラメータが与えられる。第１の方向決め車及び第２の伸長車に作用する遊び排除ラックによって、衝撃の際に針を束縛することができ、針の振動を大きく抑えることができる。
【００８５】
本発明の実施形態のそれぞれにおいて、所定の位置へと戻る間の針の大きな慣性を、ジャンパーばね上のディスクを駆動するために用いることができる。例えば、この針は、分をディスプレーし、ジャンピングディスク上で時間がディスプレーされる。分針が戻る際に、分針が時間駆動機構を打撃し、これによって、時間が飛び、分針の慣性がこの時間の飛びを補助する。このようにして、ディスプレーどうしの飛びの同期が可能になり大きく促進される。
【００８６】
本発明の伸縮可能な逆行性のディスプレーは、モジュールによって行うことができる。
【００８７】
また、連接棒／クランク系によって、ブリッジ又はプレートにおけるミル加工されたカムの経路を省くことが可能になり、バリやミルの精度についての既知の問題をなくすことができる。
【符号の説明】
【００８８】
１  ディスプレー機構
２  カム
３  レバー
４  フィーラメンバー
５  第１のラック
６  第１の方向決め車
７  インジケータープレート
８  連接棒
９  キャリッジ
１０  収縮可能な針
１１  ブリッジ
１２  固定回転軸
１３  可動回転軸
１５  第２のラック
１６  第２の伸長車
１８  レバー要素
２１  くちばし部
２５  第３のラック
２６  第１の弾性戻り手段
２７  第４のラック
２８  第２の弾性戻り手段
３０  差動機構
３１  第１の車セット
３２  第２の車セット
３３  惑星回転軸
３４  惑星車
３５  差動ケージ
３６  ケージ回転軸
７１  第１の釣り合いおもり
７２  第２の釣り合いおもり
８１  第１の端
８２  第２の端
１００  計時器用ムーブメント
Ａ１  第１の軸
ＡＢ  レバー軸
ＡＰ  主軸
Ｒ  半径方向
【図１】
0006340099.tif 000002
【図２】
0006340099.tif 000003
【図３】
0006340099.tif 000004
【図４】
0006340099.tif 000005
【図５】
0006340099.tif 000006
【図６】
0006340099.tif 000007
【図７】
0006340099.tif 000008
【図８】
0006340099.tif 000009
【図９】
0006340099.tif 000010
【図１０】
0006340099.tif 000011
【図１１】
0006340099.tif 000012
【図１２】
0006340099.tif 000013
【図１３】
0006340099.tif 000014
【図１４】
0006340099.tif 000015
【図１５】
0006340099.tif 000016
【図１６】
0006340099.tif 000017
【図１７】
0006340099.tif 000018
【図１８】
0006340099.tif 000019
【図１９】
0006340099.tif 000020
【図２０】
0006340099.tif 000021
【図２１】
0006340099.tif 000022
【図２２】
0006340099.tif 000023
【図２３】
0006340099.tif 000024
【図２４】
0006340099.tif 000025